(57)【特許請求の範囲】
【請求項１】
パスポートを開本して第１，第２開本区分を形成し、第１開本区分の地余白又は天余白にレーザービームによる記号又は文字の穿孔を行うパスポートのレーザー穿孔方法において；上記第１開本区分の下面を搬送路上に水平に支持し、且つ該第１開本区分に対する第２開本区分の開本角度を鈍角に設定して第２開本区分の傾斜起立状態を形成する；該第２開本区分の傾斜起立状態を維持しつつパスポートの天小口又は地小口を前方に向け上記搬送路上を間欠搬送する；該搬送路上に形成した穿孔ステーションにおける搬送休止時に上記水平に支持した第１開本区分の地余白又は天余白に沿ってレーザービームによる記号又は文字の穿孔を行うことを特徴とするパスポートにおけるレーザー穿孔方法。
【請求項２】
パスポートを開本して第１，第２開本区分を形成し、第１開本区分の地余白又は天余白にレーザービームによる記号又は文字の穿孔を行うパスポートのレーザー穿孔方法において；パスポートの上記第１開本区分の下面を共通搬送路上に水平に支持し、且つ該共通搬送路上における第１開本区分に対する上記第２開本区分の開本角度を鈍角又は鋭角に設定して第２開本区分の傾斜起立状態を形成する；該共通搬送路の搬出端から分配された第１分配パスポートの上記第１開本区分の下面を第１分配搬送路上に水平に支持し、且つ該第１分配搬送路上における第１開本区分に対する上記第２開本区分の開本角度を鈍角に設定して第２開本区分の傾斜起立状態を形成する；上記共通搬送路の搬出端から分配された第２分配パスポートの上記第１開本区分の下面を上記第１分配搬送路と並列せる第２分配搬送路上に水平に支持し、且つ該第２分配搬送路上における第１開本区分に対する上記第２開本区分の開本角度を鈍角に設定して第２開本区分の傾斜起立状態を形成する；上記第１分配パスポートと第２分配パスポートを上記第２開本区分の傾斜起立状態を維持しつつ、天小口又は地小口を前方に向け上記第２搬送路と第２分配搬送路上を交互に間欠搬送する；該交互間欠搬送により第１分配パスポートを先行して穿孔ステーションに搬送して休止し、該搬送休止時に該第１分配パスポートの上記第１開本区分の地余白又は天余白に沿ってレーザービームによる記号又は文字の一次穿孔を行う；上記交互間欠搬送により第２分配パスポートを後行して上記穿孔ステーションに搬送して休止し、該搬送休止時に第２分配パスポートの上記第１開本区分の地余白又は天余白に沿ってレーザービームによる記号又は文字の二次穿孔を行うことを特徴とするパスポートにおけるレーザー穿孔方法。
【請求項３】
上記第２開本区分の第１開本区分に対する開本角度が９０度を超え且つ１３０度を超えない範囲であることを特徴とする請求項１又は２記載のパスポートにおけるレーザー穿孔方法。
【請求項４】
上記第１分配パスポートと第２分配パスポートの第２開本区分の傾斜起立方向を同一方向にし且つ同一開本角度にすることを特徴とする請求項２記載のパスポートにおけるレーザー穿孔方法。
【請求項５】
パスポートを開本して第１，第２開本区分を形成し、第１開本区分の地余白又は天余白にレーザービームによる記号又は文字の穿孔を行うパスポートのレーザー穿孔装置において；上記第１開本区分の下面を搬送路上に水平に支持し、且つ第１開本区分に対する上記第２開本区分の開本角度を鈍角又は鋭角に設定して第２開本区分の傾斜起立状態を形成する手段を備え；該傾斜起立状態を有するパスポートの地余白の縁部又は天余白の縁部を上押さえしつつ、該天小口又は地小口を前方に向け上記搬送路上を間欠搬送するバープッシャーを備え；該パスポートの穿孔ステーションにおける搬送休止時に上記第１開本区分の上記上押さえされた地余白又は天余白に沿ってレーザービームによる記号又は文字の穿孔を行うレーザー穿孔装置を備えることを特徴とするパスポートにおけるレーザー穿孔装置。
【請求項６】
パスポートを開本して第１，第２開本区分を形成し、第１開本区分の地余白又は天余白にレーザービームによる記号又は文字の穿孔を行うパスポートのレーザー穿孔装置において；パスポートの上記第１開本区分の下面を共通搬送路上に水平に支持し、且つ第１開本区分に対する上記第２開本区分の開本角度を鈍角又は鋭角に設定して第２開本区分の傾斜起立状態を形成する手段を備え；該共通搬送路の搬出端から分配された第１分配パスポートの上記第１開本区分の下面を第１分配搬送路上に水平に支持し、且つ該第１分配搬送路上における第１開本区分に対する上記第２開本区分の開本角度を鈍角に設定して第２開本区分の傾斜起立状態を形成する手段を備え；上記共通搬送路の搬出端から分配された第２分配パスポートの上記第１開本区分の下面を上記第１分配搬送路と並列せる第２分配搬送路上に水平に支持し、且つ該第２分配搬送路上における第１開本区分に対する上記第２開本区分の開本角度を鈍角に設定して第２開本区分の傾斜起立状態を形成する手段を備え；上記第１分配パスポートと第２分配パスポートを上記第２開本区分の上記傾斜起立状態を維持しつつ、該第１分配パスポートと第２分配パスポートの地余白の縁部又は天余白の縁部を上押さえしつつ、天小口又は地小口を前方に向け上記第１分配搬送路と第２分配搬送路上を交互に間欠搬送する第１バープッシャーと第２バープッシャーを備え；上記第１バープッシャーにより穿孔ステーションに先行して搬送し休止した第１分配パスポートの第１開本区分の上押さえされた地余白又は天余白に沿ってレーザービームによる記号又は文字の一次穿孔を行い、上記第２バープッシャーにより穿孔ステーションに後行して搬送し休止した第２分配パスポートの第１開本区分の上押さえされた地余白又は天余白に沿ってレーザービームによる記号又は文字の二次穿孔を行うレーザー穿孔装置を備えることを特徴とするパスポートにおけるレーザー穿孔装置。
【請求項７】
上記第２開本区分の第１開本区分に対する開本角度が９０度を超え且つ１３０度を超えない範囲に設定する手段を備えることを特徴とする請求項５又は６記載のパスポートにおけるレーザー穿孔装置。
【請求項８】
上記第１分配パスポートと第２分配パスポートの第２開本区分の傾斜起立方向を同一方向にし且つ同一開本角度にする手段を備えることを特徴とする請求項６記載のパスポートにおけるレーザー穿孔装置。
【発明の詳細な説明】
【０００１】
【発明の属する技術分野】
本発明はパスポートの偽造防止手段、殊にパスポートに文字や記号をレーザー穿孔して偽造防止手段とする方法と装置に関する。
【０００２】
【従来の技術】
パスポートの偽造防止対策の一環として旅券番号をパスポートのフロントカバーシート又はバックカバーシートを含んだ部分にレーザー穿孔する方法が既知である。
【０００３】
パスポートの個人データシート等を別のデータシート等に入れ換える偽造を行った場合、この入れ換えたシートのレーザー穿孔と、他のシートのレーザー穿孔とに芯ずれを来す可能性が大きく、この芯ずれの有無を検査して偽造の有無を判断できる。
【０００４】
従ってパスポート製造時にレーザー穿孔の芯ずれを生ずると、偽造によるレーザー穿孔の芯ずれとの判別が付き難く、有効な偽造防止手段として機能しない。
【０００５】
従来のレーザー穿孔装置は、図１に示すパスポート１を、図２に示すように完全開本（１８０度開本）して第１開本区分１′と第２開本区分１″を形成し、この完全開本状態を上ベルト２と下ベルト３で挟持することによって維持し、第１開本区分１′の天余白４″又は地余白４′に旅券番号をレーザービームにより穿孔する方法を採っている。５は旅券番号を表す穿孔群である。
【０００６】
然るにこの方法は実際に納入された装置においてレーザー穿孔の芯ずれ現象を生じており、その原因除去が課題となっている。発明者はこの現象がパスポートの完全開本に起因することを見出し、本発明を提供するに至ったものである。
【０００７】
即ち図３Ａに示すように、パスポート１を完全開本すると必然的に開本区分の前小口６′における各パスポート形成シートにずれを生じて傾斜し、このずれを生じている状態でレーザー穿孔し、次に閉本すると上記ずれが解消されるのであるが、同時に上記各シートのレーザー穿孔群５に図３Ｂに示すような芯ずれを来すこととなる。
【０００８】
本発明はこの原因を除去し、レーザー穿孔における芯ずれを有効に防止しつつ、パスポート製造ラインにおいてパスポートの天小口又は地小口を前方に向けて搬送する通常の搬送姿勢を採りながら、従って製造ラインにおけるパスポートの姿勢変更を要せずに上記レーザー穿孔が合理的に遂行できるようにしたパスポートにおけるレーザー穿孔方法と同レーザー穿孔装置を提供する。
【０００９】
更に図２に示す従来のレーザー穿孔装置においては、並列せる第１，第２分配搬送路７，８を設け、該第１，第２分配搬送路７，８により完全開本した第１，第２分配パスポート１Ａ，１Ｂを同期して間欠搬送する方法を採っている。
【００１０】
そして第１，第２分配パスポート１Ａ，１Ｂは完全開本し、第１分配パスポート１Ａは上ベルト２と下ベルト３で挟持してこの完全開本状態を維持しつつ、第１開本区分１′の前小口６′を前方に向け搬送すると共に、第２分配パスポート１Ｂは上ベルト２と下ベルト３で挟持してこの完全開本状態を維持しつつ、第２開本区分１″の前小口６′を前方に向け搬送し、第１，第２分配パスポート１Ａ，１Ｂの第１開本区分１′，１′が左右に隣接する状態を形成する。
【００１１】
即ち第１分配パスポート１Ａの第１開本区分１′の地小口９′と、第２分配パスポート１Ｂの第１開本区分１′の地小口９′が左右に隣接するように対向させ、第１分配パスポート１Ａの第１開本区分１′の地余白４′にレーザービームによる穿孔を行った後、第２分配パスポート１Ｂの第１開本区分１′の地余白４′にレーザービームによる穿孔を行う方法を採っている。
【００１２】
然るに上記レーザー穿孔方法においては、レーザービームによる穿孔作業が能率的に行える利点を有するが、第１，第分配２パスポート１Ａ，１Ｂを相互に水平反転して穿孔ステーションに供する操作を要し、又レーザー穿孔後に再反転する操作を要し、装置が複雑になる。
【００１３】
加えて上ベルト２と下ベルト３で挟持された第１，第２分配パスポート１Ａ，１Ｂが水平回転する恐れを有し、穿孔位置にずれを生ずる問題を有している。
【００１４】
又上ベルト２と下ベルト３のテンションでは第１，第２分配パスポート１Ａ，１Ｂの完全開本状態を充分に維持できず、第１，第２開本区分１′，１″に浮き上がりを生じ、レーザービームによる穿孔が適切に行い難い問題を有している。
【００１５】
本発明はパスポート製造ラインにおける上記第１，第２分配パスポート１Ａ，１Ｂの反転と再反転操作を要せずに、両パスポート１Ａ，１Ｂの地余白４′又は天余白４″にレーザービームを用いて文字又は記号等を健全に穿孔できるパスポートにおけるレーザー穿孔方法と同レーザー穿孔装置を提供する。
【００１６】
【課題を解決するための手段】
本発明は上記の通り、レーザー穿孔における芯ずれを有効に防止するパスポートにおけるレーザー穿孔方法と同レーザー穿孔装置を提供する。
【００１７】
又本発明はパスポート製造ラインにおける上記第１，第２分配パスポートの反転と再反転操作を要せずに、両パスポートの地余白又は天余白にレーザービームを用いて文字又は記号等を健全に穿孔できるパスポートにおけるレーザー穿孔方法と同レーザー穿孔装置を提供する。
【００１８】
本発明はパスポートを開本して第１，第２開本区分を形成し、第１開本区分の地余白又は天余白にレーザービームによる記号又は文字の穿孔を行うパスポートのレーザー穿孔方法と装置に係る。
【００１９】
このレーザー穿孔方法と装置は、上記第１開本区分の下面を搬送路上に水平に支持し、且つ第１開本区分に対する第２開本区分の開本角度を鈍角に設定し、第２開本区分の傾斜起立状態を形成する。
【００２０】
上記パスポートを上記第２開本区分の傾斜起立状態を維持しつつ天小口又は地小口を前方に向け上記搬送路上を間欠搬送する。
【００２１】
そして上記パスポートの穿孔ステーションにおける搬送休止時に上記水平に支持された第１開本区分の地余白又は天余白に沿ってレーザービームによる記号又は文字の穿孔を行う。
【００２２】
上記パスポートの第１開本区分を水平に支持しつつ第２開本区分を傾斜起立状態を形成してレーザー穿孔する方法によって、第１開本区分の前小口のずれを有効に防止し、従ってこのずれに起因するレーザー穿孔の芯ずれを有効に防止する。
【００２３】
又パスポート製造ラインにおける上記第１，第２分配パスポートの水平反転と再反転操作を要せずに、両パスポートの地余白又は天余白にレーザービームを用いて文字又は記号等を健全に穿孔できる。
【００２４】
又本発明に係る方法と装置の他例は、第１，第２分配パスポートの上記第１開本区分の下面を並列せる第１，第２分配搬送路上に水平に支持し、且つ第１開本区分に対する該第２開本区分の開本角度を鈍角に設定し、第２開本区分の傾斜起立状態を形成する。
【００２５】
そして上記第１分配パスポートと第２分配パスポートを上記第２開本区分の傾斜起立状態を維持しつつ、天小口又は地小口を前方に向け上記第１，第２分配搬送路上を交互に間欠搬送し、該交互間欠搬送により第１分配パスポートを先行して穿孔ステーションに搬送して休止し、該搬送休止時に該第１分配パスポートの上記水平に支持された第１開本区分の地余白又は天余白に沿ってレーザービームによる記号又は文字の一次穿孔を行う。
【００２６】
次に上記交互間欠搬送により第２分配パスポートを後行して上記穿孔ステーションに搬送して休止し、該搬送休止時に第２分配パスポートの上記水平に支持された第１開本区分の地余白又は天余白に沿ってレーザービームによる記号又は文字の二次穿孔を行う。
【００２７】
上記パスポートの第１開本区分を水平に支持しつつ第２開本区分を傾斜起立状態を形成してレーザー穿孔する方法によって、第１開本区分の前小口のずれを有効に防止し、従ってこのずれに起因するレーザー穿孔の芯ずれを有効に防止する。
【００２８】
又パスポート製造ラインにおける上記第１，第２分配パスポートの水平反転と再反転操作を要せずに、両パスポートの地余白又は天余白にレーザービームを用いて文字又は記号等を健全に穿孔できる。
【００２９】
加えてレーザー穿孔装置を殆ど休止することなく効率的に穿孔でき、生産性を向上できる。
【００３０】
上記レーザー穿孔方法と同レーザー穿孔装置における第２開本区分の第１開本区分に対する開本角度は、９０度を超え且つ１３０度を超えない範囲に設定する。この範囲は第１開本区分の前小口の過度のずれを防止する適切な範囲であり、従ってレーザー穿孔の芯ずれを適切に防止する範囲である。
【００３１】
上記第１，第２分配パスポートの第２開本区分の傾斜起立方向は同一方向にすると共に、上記開本角度を略同一にする。例えば第１分配パスポートの第２開本区分の開本方向、即ち第２開本区分の傾斜起立方向を右方向にした場合、第２分配パスポートの第２開本区分の開本方向を右方向にする。従ってパスポート製造ラインにおける第１，第２分配パスポートの反転と再反転操作を要せずに、両パスポートの地余白又は天余白にレーザービームを用いて文字又は記号等を健全に穿孔できる。
【００３２】
上記パスポートにおけるレーザー穿孔方法を実行する装置は、上記傾斜開放状態を有するパスポートの天余白の縁部又は地余白の縁部を上押さえしつつ、該天小口又は地小口を前方に向け上記搬送路上を間欠搬送するバープッシャーを備える。
【００３３】
又上記パスポートにおけるレーザー穿孔方法を実行する装置の他例として、上記第１，第２分配パスポートを上記第２開本区分の傾斜起立状態を維持しつつ、該第１，第２分配パスポートの天余白の縁部又は地余白の縁部を上押さえしつつ、天小口又は地小口を前方に向け上記第１，第２分配搬送路上を交互に間欠搬送する第１，第２バープッシャーを備える。
【００３４】
そして第１分配パスポートが上記第１バープッシャーにより第１分配搬送路上を間欠搬送されて穿孔ステーションに先行して休止した時に、該第１分配パスポートの上記上押さえされた第１開本区分の地余白又は天余白に沿ってレーザービームによる記号又は文字の一次穿孔を行う。
【００３５】
次に第２分配パスポートが上記第２バープッシャーにより第２分配搬送路上を間欠搬送されて穿孔ステーションに後行して休止した時に、該第２分配パスポートの上記上押さえされた第１開本区分の地余白又は天余白に沿ってレーザービームによる記号又は文字の二次穿孔を行う。
【００３６】
上記バープッシャーはその上押さえ部の端部に上記第２開本区分の傾斜起立を許容する凹欠部を有し、第１開本区分の上押さえと第２開本区分の傾斜起立状態を保証する。
【００３７】
上記パスポートにおけるレーザー穿孔方法と同レーザー穿孔装置は、穿孔作業を効率的に行いつつ、上記レーザー穿孔における芯ずれを有効に防止し、上記パスポートの反転と再反転操作を要せずに、又第１開本区分に浮き上がりを生じさせることなくパスポートの地余白又は天余白にレーザービームを用いて文字又は記号等を健全に穿孔できる。
【００３８】
【発明の実施の形態】
前記の通り図１に示すパスポートの偽造防止手段として、パスポート１のフロントカバーシート１０又はバックカバーシート１１の何れかを含めたデータシート１２又は／及びビザシート１３に旅券番号をレーザー穿孔を行う方法が各国において採り入れられている。
【００３９】
本発明はこの偽造防止用レーザー穿孔における前記従来例における問題点を有効に解消し、同レーザー穿孔を健全に行い、且つ同レーザー穿孔方法と装置の簡素化を図ったパスポートにおけるレーザー穿孔方法と同レーザー穿孔装置を提供する。
【００４０】
図５に示すように、パスポート１を単列送りする共通搬送路１４が直線に延び、該共通搬送路１４の搬出端にパスポート１を複列送りする第１分配搬送路１５と第２分配搬送路１６とを備える。
【００４１】
上記第１分配搬送路１５と共通搬送路１４とは平面視した時に同一直線上に延び、第１，第２分配搬送路１５，１６は共通搬送路１４に対し若干の落差を以って配置し、第１，第２分配搬送路１５，１６は同一レベルにおいて並列に配置する。
【００４２】
共通搬送路１４の搬入端には閉本状態にした多数のパスポート１を供給し、各パスポート１の下面を上記共通搬送路１４を形成するボトムガイド１７により水平に支持しつつ、その天小口９″を前方にしてボトムガイド１７の割溝内を走行せるプッシャー１８により地小口９′を押圧して共通搬送路１４に沿い前方へ間欠搬送する。又は地小口９′を前方にしてプッシャー１８により天小口９″を押圧して共通搬送路１４に沿い前方へ間欠搬送する。従ってプッシャー１８は間欠移動する。
【００４３】
上記共通搬送路１４上に開本手段１９を設ける。この開本手段１９は上記閉本状態で間欠搬送せるパスポート１を第１開本区分１′と第２開本区分１″に開本する。この開本手段１９は既知であり、例えば図６に示すように、第１サッカー（ｓｕｃｋｅｒ）２０により閉本状態にあるパスポート１のカバーシート１０又は１１の外面を吸着してシートめくりを行い、パスポート搬送方向に延びる第１ガイドバー２１にもたれかけてシートめくり状態を形成する。
【００４４】
同様にパスポート１の間欠搬送の進行に伴い、別の第１サッカー２０と第１ガイドバー２１を用いてカバーシート１０又は１１の次に存在するデータシート１２又は／及びビザシート１３のめくり作業を行い開本状態を形成する。このめくり作業によって第１開本区分１′と第２開本区分１″を形成する。
【００４５】
この共通搬送路１４上におけるパスポート１の開本角度は鈍角又は鋭角にし、第１開本区分１′をボトムガイド１７上に水平に支持し、第２開本区分１″を上記開本角度を以って起立傾斜せしめる。
【００４６】
図５，図７，図８，図１２等に示すように、上記共通搬送路１４の搬出端に分配手段２２を設ける。この分配手段２２は共通搬送路１４の搬出端に到来した上記開本状態にあるパスポート１を、第１分配搬送路１５と第２分配搬送路１６に交互に分配する機能を有する。
【００４７】
図７，図８，図１２は上記分配手段２２の具体例を示す。図８等に示すように第１グリッパー２３によって共通搬送路１４の搬出端に到来し休止した第１パスポート１Ａの第１開本区分１′の縁部をクランプし、共通搬送路１４の搬入端に供給する。即ち第１分配パスポート１Ａの第１開本区分１′を、後述する第１分配搬送路１５の第１バープッシャー２８Ａ間に形成されたスペース内へ供給する。
【００４８】
図７乃至図９に示すように、第１分配搬送路１５上には該第１分配搬送路１５に沿って延び上記第１ガイドバー２１の延在方向に延びる第２ガイドバー２５を備え、上記第１グリッパー２３によって第１分配搬送路１５上に分配された第１分配パスポート１Ａの第２開本区分１″を該第２ガイドバー２５にもたれかけて上記傾斜開本状態を形成する。即ち水平に支持された第１開本区分１′に対する第２開本区分１″の開本角度αを鈍角にして傾斜起立状態を維持する。
【００４９】
上記第２ガイドバー２５によって第１開本区分１′に対する第２開本区分１″の開本角度αを９０度を超え１３０度を超えない範囲に設定する。
【００５０】
又図７等に示すように、第２グリッパー２４によって共通搬送路１４の搬出端に後行して到来し休止した第２分配パスポート１Ｂの第１開本区分１′の縁部をクランプし、第２分配搬送路１６の搬入端に供給する。即ち第２分配パスポート１Ｂの第１開本区分１′を、後述する第２分配搬送路１６の第２バープッシャー２８Ｂ間に形成されたスペース内へ供給する。
【００５１】
図７乃至図９に示すように、第２分配搬送路１６上には該第２分配搬送路１６に沿って延び且つ上記第２ガイドバー２５と同レベルで且つ並行して延びる第３ガイドバー２６を備え、上記第２グリッパー２４によって第２分配搬送路１６上に分配された第２分配パスポート１Ｂの第２開本区分１″を該第３ガイドバー２６にもたれかけて開本状態を維持する。
【００５２】
上記第３ガイドバー２６によって第１開本区分１′に対する第２開本区分１″の開本角度αを９０度を超え１３０度を超えない範囲に設定する。
【００５３】
上記第１分配パスポート１Ａと第２分配パスポート１Ｂの第２開本区分１″の傾斜起立方向は同一方向にし且つ同一開本角度（鈍角）にする。
【００５４】
図７に矢印で示すように、第２分配パスポート１Ｂは上記第２グリッパー２４によりクランプし第１分配搬送路１５の搬入端に移動して第２開本区分１″を第２ガイドバー２５にもたれかけ、引き続き第２分配搬送路１６の搬入端に移動し第２ガイドバー２５を乗り越えて第３ガイドバー２６にもたれかける。
【００５５】
図７に示す第２グリッパー２４により第２分配搬送路１６の搬入端への第２分配パスポート１Ｂの供給を行った後、図８に示す上記第１グリッパー２３による第１分配搬送路１５の搬入端への第１分配パスポート１Ａの供給を行う。
【００５６】
図１０Ａに示すように、上記第２グリッパー２４により第１分配搬送路１５の搬入端に持ち来された第２分配パスポート１Ｂは、その第２開本区分１″が第２バープッシャー２５にもたれかけられる。
【００５７】
次に図１０Ｂ，Ｃに示すように、上記第２分配パスポート１Ｂを第２グリッパー２４により第２分配搬送路１６の搬入端に持ち来す過程で、その第２開本区分１″は第２ガイドバー２５を乗り越えて第２，第３ガイドバー２５，２６に鋭角の開本角度でもたれかかる。
【００５８】
次に図１０Ｄ，Ｅに示すように、上記第２分配パスポート１Ｂを第２グリッパー２４により第２分配搬送路１６の搬入端に持ち来すと、その第２開本区分１″は第３ガイドバー２６により鈍角の開本角度αで傾斜起立され、同ガイドバー２６によって該傾斜起立状態を維持する。
【００５９】
上記第１，第２分配搬送路１５，１６は第１，第２分配パスポート１Ａ，１Ｂの下面、即ち第１，第２分配パスポート１Ａ，１Ｂのカバーシート１０又は１１の下面をボトムガイド１７に水平に支持し、上記傾斜開本角度αによる第２開本区分１″の傾斜起立状態を維持しつつ、両パスポート１Ａ，１Ｂの天小口９″又は地小口９′を前方へ向けて間欠搬送する。
【００６０】
上記第１，第２分配搬送路１５，１６は第１，第２分配パスポート１Ａ，１Ｂを交互に間欠搬送し、穿孔ステーション２７へ時差を以って交互に供給する。
【００６１】
上記第１分配パスポート１Ａと第２分配パスポート１Ｂの第２開本区分１″の傾斜起立方向は同一方向であり、且つ開本角度αは略同一にする。そしてこの開本状態において両パスポート１Ａ，１Ｂは天小口９″を前方にして、又は同地小口９′を前方にして第１，第２分配搬送路１５，１６上を交互に間欠搬送する。
【００６２】
上記第１分配パスポート１Ａと第２分配パスポート１Ｂにおける第２開本区分１″の傾斜起立方向は第１，第２分配搬送路１５，１６の搬送方向と直交する方向である。
【００６３】
上記第１，第２分配搬送路１５，１６上に第１，第２バープッシャー２８Ａ，２８Ｂを夫々設ける。
【００６４】
上記第１，第２バープッシャー２８Ａ，２８Ｂは第１，第２分配搬送路１５，１６の搬送方向と直交する方向に延び、即ち第１，第２分配パスポート１Ａ，１Ｂの天小口９″及び地小口９′と並行に延び、該天小口９″又は地小口９′を押圧して間欠搬送する手段である。
【００６５】
図５，図１１に示すように、該第１，第２バープッシャー２８Ａ，２８Ｂはパスポート送り方向に等間隔を置いて設け、各バープッシャー間に各パスポート１Ａ，１Ｂの第１開本区分１′の収容スペースを形成する。
【００６６】
又第１，第２分配搬送路１５，１６を形成するボトムガイド１７の両側に沿い一双の無端回走体３４を設け、該無端回走体３４に上記第１，第２バープッシャー２８Ａ，２８Ｂの両端を固定し、各バープッシャー間のスペースに第１，第２分配パスポート１Ａ，１Ｂの第１開本区分１′を受け入れる。
【００６７】
又上記第１，第２バープッシャー２８Ａ，２８Ｂは、第１分配パスポート１Ａと第２分配パスポート１Ｂにおける第１開本区分１′の上記水平支持状態と、第２開本区分１″の上記傾斜起立状態を維持しつつ、該第１分配パスポート１Ａと第２分配パスポート１Ｂの後縁部、即ち地余白４′の縁部又は天余白４″の縁部を収容する収容溝２９を有し、該収容溝２９を画成する上押さえ２９′を有する。
【００６８】
該収容溝２９及び上押さえ２９′は第１，第２バープッシャー２８Ａ，２８Ｂの前縁部に沿って延在し、第１分配パスポート１Ａと第２分配パスポート１Ｂの後縁部、即ち地余白４′の縁部又は天余白４″の縁部を受け入れて上押さえを図る。
【００６９】
例えば図１２，図１１Ｂに示すように、第１，第２バープッシャー２８Ａ，２８Ｂの前縁部下面に前方において開放せる収容溝２９を設け、該収容溝２９の内奥部に該収容溝２９内へ受け入れたパスポート１の第１開本区分１′の天小口９″又は地小口９′を規制する段部３０を形成する。
【００７０】
図１２に示すように、上記第１グリッパー２３によって第１分配搬送路１５上に供給した第１分配パスポート１Ａの第１開本区分１′の上面を第２サッカー３１により吸着し、上記第１分配パスポート１Ａの後縁部を上記第１バープッシャー２８Ａの収容溝２９内に入れ込む。
【００７１】
同様に上記第２グリッパー２４によって第２分配搬送路１６上に供給した第２分配パスポート１Ｂの第１開本区分１′の上面を第３サッカー３２により吸着し、上記第２分配パスポート１Ｂの後縁部を上記第２バープッシャー２８Ｂの収容溝２９内に入れ込む。
【００７２】
上記第１，第２バープッシャー２８Ａ，２８Ｂはその上押さえ２９′の端部に上記第１，第２分配パスポート１Ａ，１Ｂの第２開本区分１″の傾斜起立を許容する凹欠部３３を有し、第１開本区分１′の上押さえと第２開本区分１″の傾斜起立状態を保証する。
【００７３】
上記収容溝２９と上押さえ２９′により第１，第２分配パスポート１Ａ，１Ｂの第１開本区分１′は、その送り方向に対する後縁部の浮き上がりが阻止され、ボトムガイド１７による第１開本区分１′の水平支持を適切に保証する。
【００７４】
図１２のＡ図とＢ図に示すように、上記第２，第３サッカー３１，３２は第１，第２グリッパー２３，２４によって第１，第２分配搬送路１５，１６の搬入端に供給された第１，第２分配パスポート１Ａ，１Ｂの第１開本区分１′の上面を吸着し、第１，第２バープッシャー２８Ａ，２８Ｂの前方へ押し込み、更に第２，第３サッカー３１，３２をパスポート送り方向に対し逆方向（後方）へ移動して上記収容溝２９内へ入れ込む。
【００７５】
上記第２，第３サッカー３１，３２により第１，第２分配パスポート１Ａ，１Ｂの後縁部を収容溝２９内へ入れ込む時には第１，第２グリッパー２３，２４による第１開本区分１′のクランプを解除する。
【００７６】
そして第１分配パスポート１Ａが上記第１バープッシャー２８Ａにより第１分配搬送路１５上を間欠搬送されて穿孔ステーション２７に先行して休止した時に、該第１分配パスポート１Ａの上記上押さえされた第１開本区分１′の地余白４′（又は天余白４″）に沿ってレーザービームによる記号又は文字の一次穿孔を行う。
【００７７】
次に第２分配パスポート１Ｂが上記第２バープッシャー２８Ｂにより第２分配搬送路１６上を間欠搬送されて穿孔ステーション２７に後行して休止した時に、該第２分配パスポート１Ｂの上記上押さえされた第１開本区分１′の地余白４′（又は天余白４″）に沿ってレーザービームによる記号又は文字の二次穿孔を行う。
【００７８】
図５，図１３に示すように、上記レーザー装置本体３５は第１分配搬送路１５又は第２分配搬送路１６の側方に配置され、該レーザー装置本体３５のレーザーガンバー３６が第１，第２分配搬送路１５，１６と直交する方向へ延出され、第１，第２分配パスポート１Ａ，１Ｂを時差を以って交互に穿孔ステーション２７に休止せしめ、この搬送休止時に上記第１開本区分１′の地余白４′又は天余白４″に沿ってレーザービーム３７による記号又は文字の穿孔を交互に行う。
【００７９】
例えば第１，第２バープッシャー２８Ａ，２８Ｂの上押さえによって浮き上がりを阻止された第１開本区分１′の地余白４′に沿ってレーザー穿孔を行う。換言すると第１，第２バープッシャー２８Ａ，２８Ｂの前縁（上押さえ２９′の前縁）に沿って上記レーザー穿孔を行う。例えば旅券番号のレーザー穿孔を行う。
【００８０】
上記パスポート１におけるレーザー穿孔方法と同レーザー穿孔装置は、穿孔作業を効率的に行いつつ、上記レーザー穿孔における芯ずれを有効に防止し、加えてパスポート製造ラインにおける上記第１，第２分配パスポート１Ａ，１Ｂの反転と再反転操作を行うことなく、両パスポート１Ａ，１Ｂをその天小口９″又は地小口９′を前方にして搬送する通常の搬送姿勢を採りながら、第１開本区分１′の地余白４′又は天余白″に文字又は記号等を健全にレーザー穿孔でき、パスポート製造方法と装置の簡素化を達成できる。
【００８１】
尚本発明は第２分配搬送路１６を用いずに、共通搬送路１４と第１分配搬送路１５とが直結した搬送路上において、上記レーザー穿孔を行う場合を包含する。
【図面の簡単な説明】
【図１】パスポートの斜視図。
【図２】従来例におけるパスポートの偽造防止用のレーザー穿孔方法と装置を示す平面図。
【図３】上記従来例におけるレーザー穿孔方法と装置を示す拡大断面図。
【図４】上記従来例におけるレーザー穿孔状態を説明する図であり、Ａ図はパスポートの完全開本状態におけるレーザー穿孔状態を示す要部断面図、Ｂ図はパスポートの完全閉本状態におけるレーザー穿孔状態を示す要部断面図。
【図５】本発明の実施形態における共通搬送路と第１，第２分配搬送路を示す平面図。
【図６】上記実施形態における共通搬送路上に形成したシートめくり手段を説明する要部斜視図。
【図７】Ａ図は上記実施形態における第２分配搬送路への第２分配パスポートの分配手段を示す側面図、Ｂ図は同斜視図。
【図８】Ａ図は上記実施形態における第１分配搬送路への第１分配パスポートの分配手段を示す側面図、Ｂ図は同斜視図。
【図９】共通搬送路と第１，第２分配搬送路におけるパスポートの開本状態と、該開本状態を保つ第１，第２，第３ガイドバーの配置を示す平面図。
【図１０】Ａ乃至Ｅ図は上記第２分配搬送路の搬入端に第２分配パスポートを供給する場合の、第２開本区分と第２，第３ガイドバーとの関連を説明する断面図。
【図１１】Ａ図は第１，第２分配搬送路におけるバープッシャーと、該バープッシャーにより押圧される第１，第２分配パスポートの関係を示す平面図、Ｂ図は同断面図。
【図１２】Ａ，Ｂ図は第１，第２分配パスポートをバープッシャーの収容溝内へ入れ込む動作を説明する斜視図。
【図１３】レーザービームによる第１，第２分配パスポートの第１開本区分に対する穿孔を施す状態を示す断面図。
【符号の説明】
１…パスポート、１Ａ…第１分配パスポート、１Ｂ…第２分配パスポート、１′…第１開本区分、１″…第２開本区分、４′…地余白、４″…天余白、５…穿孔群、６′…前小口、９′…地小口、９″…天小口、１０…フロントカバーシート、１１…バックカバーシート、１２…データシート、１３…ビザシート、１４…共通搬送路、１５…第１分配搬送路、１６…第２分配搬送路、１７…ボトムガイド、１８…プッシャー、１９…開本手段、２０…第１サッカー、２１…第１ガイドバー、２２…分配手段、２３…第１グリッパー、２４…第２グリッパー、２５…第２ガイドバー、２６…第３ガイドバー、２７…穿孔ステーション、２８Ａ…第１バープッシャー、２８Ｂ…第２バープッシャー、２９…収容溝、２９′…上押さえ、３０…段部、３１…第２サッカー、３２…第３サッカー、３３…凹欠部、３４…無端回走体、３５…レーザー装置本体、３６…レーザーガンバー、３７…レーザービーム、α…開本角度
【図１】
0003761838.tif 000002
【図２】
0003761838.tif 000003
【図３】
0003761838.tif 000004
【図４】
0003761838.tif 000005
【図５】
0003761838.tif 000006
【図６】
0003761838.tif 000007
【図７】
0003761838.tif 000008
【図８】
0003761838.tif 000009
【図９】
0003761838.tif 000010
【図１０】
0003761838.tif 000011
【図１１】
0003761838.tif 000012
【図１２】
0003761838.tif 000013
【図１３】
0003761838.tif 000014